(57)【要約】【課題】従来に比して一段と鮮明な表示画像を得ることができ、かつ高速応答も兼ね備えたフィールド・シーケンシャル方式の液晶表示装置を提供すること。【解決手段】ＰＬＣＣ（Polymer / Liquid Crystal Composite）モードの液晶表示素子６を有する液晶パネルと、当該液晶表示素子６をフィールド・シーケンシャル方式で駆動する液晶駆動回路とを設けるようにする。これにより、配向板３、５を省略することもできるようになり、配向板及びカラーフィルタ等の透過光を遮る部材が非常に少なく、従来に比して一段と鮮明な表示画像を得ることができるようになる。また、配向板及びカラーフィルタ等を必要としないので、フレキシブルプラスチック基板に適用した場合に有利となり、フレキシブル液晶パネルを容易に実現できるようになる。【選択図】図１
2007322913.tif 000002
【特許請求の範囲】
【請求項１】
ＰＬＣＣ（Polymer / Liquid Crystal Composite）モードの液晶表示素子を有する液晶パネルと、
前記液晶表示素子をフィールド・シーケンシャル方式で駆動する液晶駆動回路と
を具備する液晶表示装置。
【請求項２】
前記液晶駆動回路は、前記ＰＬＣＣモードの液晶表示素子に対して、定格電圧の最大電位差の電圧を、階調データに応じて印加パターンを変えて印加する
請求項１に記載の液晶表示装置。
【請求項３】
前記液晶駆動回路は、前記ＰＬＣＣモードの液晶表示素子に対して、階調データに応じた多値の印加電圧を印加する
請求項１に記載の液晶表示装置。
【請求項４】
前記ＰＬＣＣモードの液晶表示素子は、
３，５，５−トリメチルヘキシル・アクリレートと、
１−６ヘキサンジオール・ジアクリレートと、
液晶と、
を混合し、前記３，５，５−トリメチルヘキシル・アクリレートと、前記１−６ヘキサンジオール・ジアクリレートとを反応させて得られたものである
請求項１に記載の液晶表示装置。
【発明の詳細な説明】
【技術分野】
【０００１】
本発明は液晶表示装置に関し、特に、フィールド・シーケンシャル方式を用いた液晶表示装置に関する。
【背景技術】
【０００２】
従来、液晶表示装置に用いられる液晶表示素子として、ＴＮ(Twisted Nematic)モード（特許文献１参照）、ＳＴＮ(SuperTwistedNematic)モード、ＩＰＳ（In-Plane Switching）モード、ＶＡ（Vertical Alignment）モード、ＯＣＢ（Optically Compensated Bend）モードを用いたものがある。これらのうち、ＯＣＢモードの液晶表示素子は、上述した他のモードの液晶表示素子に比して、応答速度を高速にできる（５ｍｓ程度）といった利点がある。しかし、ＯＣＢモードの液晶素子は、駆動電圧が高くドライバＩＣコストがかかることや、液晶分子の配向制御が難しいこと、特殊な光学フィルムや液晶材料が必要なる等の欠点もある。
【０００３】
一方、液晶表示装置の表示方式として近年、カラーフィルタが不要であり、鮮明なカラー表示を実現できるものとして、フィールド・シーケンシャル方式の液晶表示装置の開発が進んでいる。
【０００４】
フィールド・シーケンシャル方式の液晶表示装置は、液晶シャッターの背面に三色のＬＥＤ（Light Emitting Diode）を設け、各色ＬＥＤを高速で順次点灯させると共にこれに同期するように各画素位置の液晶シャッターを開閉させることにより、各画素位置で所望の色を表示できるようになっている。
【特許文献１】米国特許第６４２４３２９号
【発明の開示】
【発明が解決しようとする課題】
【０００５】
ところで、フィールド・シーケンシャル方式は、上述したようにカラーフィルタが不要なので、鮮明な表示画像を得ることができる。しかしながら、携帯電話に代表される携帯端末の需要が増加するにつれ、屋外でもより鮮明な表示が可能な表示装置への要求が一層高まっている。
【０００６】
一方、上述したようにフィールド・シーケンシャル方式の液晶表示装置は、鮮明なカラー表示を実現できるが、原理的に、液晶表示素子に対して、カラーフィルタを用いた方式の３倍の応答速度が求められる。一般には、１０［ｍｓ］以下の応答速度が求められ、高品位な画像を得るためには５［ｍｓ］以下の応答速度が必要と言われている。
【０００７】
本発明は、かかる点に鑑みてなされたものであり、従来に比して一段と鮮明な表示画像を得ることができ、かつ高速応答も兼ね備えたフィールド・シーケンシャル方式の液晶表示装置を提供することを目的とする。
【課題を解決するための手段】
【０００８】
かかる課題を解決するため本発明の液晶表示装置は、ＰＬＣＣ（Polymer / Liquid Crystal Composite）モードの液晶表示素子を有する液晶パネルと、当該液晶表示素子をフィールド・シーケンシャル方式で駆動する液晶駆動回路とを具備する構成を採る。
【０００９】
この構成によれば、配向板及びカラーフィルタ等の透過光を遮る部材が非常に少なく、従来に比して一段と鮮明な表示画像を得ることができるようになる。また、配向板及びカラーフィルタ等を必要としないので、フレキシブルプラスチック基板に適用した場合に有利となり、フレキシブル液晶パネルを容易に実現できるようになる。
【００１０】
また本発明の液晶表示装置は、液晶駆動回路は、ＰＬＣＣモードの液晶表示素子に対して、定格電圧の最大電位差の電圧を、階調データに応じて印加パターンを変えて印加する構成を採る。
【００１１】
この構成によれば、定格電圧の最大電位差の電圧を印加することでＰＬＣＣモードの液晶素子の応答を高速化できると共に、その印加パターンを階調データに応じて変化させることで多階調表示を実現できるようになる。
【００１２】
また本発明の液晶表示装置は、前記ＰＬＣＣモードの液晶表示素子を、３，５，５−トリメチルヘキシル・アクリレートと、１−６ヘキサンジオール・ジアクリレートと、液晶と、を混合し、３，５，５−トリメチルヘキシル・アクリレートと、１−６ヘキサンジオール・ジアクリレートとを反応させて得るようにする。
【００１３】
この構成によれば、比較的低電圧で、フィールド・シーケンシャル方式で要求される応答速度のＰＬＣＣモードの液晶素子を実現できる。
【発明の効果】
【００１４】
本発明によれば、従来に比して一段と鮮明な表示画像を得ることができ、かつ高速応答も兼ね備えたフィールド・シーケンシャル方式の液晶表示装置を実現できる。
【発明を実施するための最良の形態】
【００１５】
以下、本発明の実施の形態について図面を参照して詳細に説明する。
【００１６】
（１）液晶ディスプレイの構成
図１に、実施の形態による液晶パネルの構成を示す。液晶パネル１は、ツイスト境界モードの（高分子／液晶）複合材料（ＰＬＣＣ）を使用して、フィールド・シーケンシャル方式の表示を実現可能な構成となっている。
【００１７】
液晶パネル１は、底面ＴＦＴ基板２上に、ラビング処理した配向層３が積層されている。また、液晶パネル１は、内面にＩＴＯコーティングを施した上部基板４の表面上にコーティングを施し、配向層３に対して９０度の方向にラビング処理した配向層５が積層されている。なお、底面ＴＦＴ基板２、配向層３、上部基板４及び配向層５の構成部分は以降、セルと呼ぶものとする。
【００１８】
本実施の形態による液晶表示素子としてのＰＬＣＣ６は、セル内部に挟持されている。ＰＬＣＣ６には、底面ＴＦＴ基板２から各画素毎に駆動電圧が印加され、ＰＬＣＣ６の各画素に対応する部分はこの印加電圧に応じて光散乱状態（光遮断状態）又は光透過状態とされる。
【００１９】
また、液晶パネル１は、上部偏光板７及び底面偏光板８を有し、底面偏光板８の底面側には拡散膜９が設けられている。拡散膜９の外側には、Ｒ，Ｇ，ＢのＬＥＤからなるＬＥＤバックライト・システム１０が設けられている。
【００２０】
このような構成において、液晶パネル１は、ＬＥＤバックライト・システム１０のＲ，Ｇ，ＢのＬＥＤを順次発光させ、この発光周期と階調データとに応じて、ＰＬＣＣ６の各画素に対応する部分が光散乱状態（光遮断状態）又は光透過状態とされることで、カラー表示画像を得るようになっている。
【００２１】
図２に、液晶パネル１のセル部分のさらに具体的な構成例を示す。図２のセルは、セル間隔１．５［μｍ］の空の２インチＱＶＧＡ（３２０×２４０ピクセル）ＴＦＴ  ＴＮセルを示す。下部ガラス基板１１上に個別化したＷ／ＬのＴＦＴ層１２が積層されている。１３Ａ及び１３Ｂは、ラビング処理したポリマー配向層である。上部ガラス基板１４の下面側にはインジウム錫酸化物の導電性コーティング１５が施されている。
【００２２】
後述するような、モノマーと液晶との混合物を、真空状態でセルに充填し、１５ｍＷ／ｃｍ２の紫外線を摂氏４０度で３０秒間照射することで、紫外線硬化プロセスを実行して、ＰＬＣＣ１６を形成した。その後、図１に示すようなパネル・アセンブリ、続いてモジュール・アセンブリを行うことで、液晶ディスプレイを得た。
【００２３】
なお、本実施の形態では、配向層３、５、１３Ａ、１３Ｂを設けた場合について述べたが、配向層３、５、１３Ａ、１３Ｂを省略してもよい。
【００２４】
（２）液晶駆動回路の構成
本実施の形態の液晶駆動回路の特徴は、マルチトーン表示を実行可能なデジタル駆動技術を適用して、ＰＬＣＣを駆動することである。
【００２５】
本実施の形態では、第１の駆動方法として、ＰＬＣＣモードの液晶表示素子に対して、定格電圧の最大電位差の電圧を、階調データに応じて印加パターンを変えて印加することを提案する。これにより、定格電圧の最大電位差の電圧を印加することでＰＬＣＣモードの液晶素子の応答を高速化できると共に、その印加パターンを階調データに応じて変化させることで多階調表示を実現できるようになる。
【００２６】
第２の駆動方法として、ＰＬＣＣモードの液晶表示素子に対して、階調データに応じた多値の印加電圧を印加することを提案する。これにより、ＰＬＣＣモードの液晶素子の応答速度の高速化と、多階調化の両方を実現できるようになる。
【００２７】
図３に、上記第１の駆動方法を実現する液晶駆動回路の構成例を示す。液晶駆動回路１７は、階調表示における階調レベルを表す階調データを、印加時間制御部１８に入力する。階調データは、例えば１６階調に対応している場合、４ビットで表現されるており、階調レベル０〜７と設定される。
【００２８】
印加時間制御部１８は、階調データを受け取ると、参照テーブル１９を参照して、階調データに対応する印加時間（ＯＮ時間・ＯＮパターン）を設定する。そして、印加時間制御部１８は、決定したＯＮ時間だけスイッチ２０に対してＯＮ時間制御信号を出力する。
【００２９】
スイッチ２０は、定電圧発生部２１で発生した定格電圧の最大電位差（固定電位差）を、印加時間制御部１８からのＯＮ時間制御信号にしたがってＰＬＣＣモード液晶パネル２２のピクセルに印加する。
【００３０】
なお、上記第２の駆動方法を実現する場合には、例えば、定電圧発生部２１で多値の電圧を発生し、スイッチ２０で階調データに応じて時分割で多値の電圧のうちのいずれかを選択しながらＰＬＣＣモード液晶パネル２２のピクセルに印加するようにすればよい。
【００３１】
（３）液晶表示素子の構成
本実施の形態では、複数のアクリレートモノマーと、正誘電異方性液晶との混合物を用い、フィールド・シーケンシャル方式に適した、低電圧で高速応答可能なＰＬＣＣモードの液晶表示素子を提案する。
【００３２】
ＰＬＣＣモードの液晶表示素子は、液晶の重量パーセントが７０〜８０パーセントであり、モノマーの重量パーセントが３０〜２０パーセントである。この範囲内で、液晶の重量パーセントを大きくすると、低電圧駆動が可能となる一方、応答速度が遅くなる。同様に、モノマーの重量パーセントは、ＴＦＴセルを適用するにあたっての望ましい粘着性と電気・光学パラメータに影響を及ぼす。本実施の形態では、この点を考慮してモノマーと液晶との配合比を選定した。
【００３３】
また、２  エチルヘキシル・アクリレートや３，５，５−トリメチルヘキシル・アクリレートのようなガラス転移温度Ｔｇの低い単一機能的なアクリレートと、１−６ヘキサンジオール・ジアクリレートのようなガラス転移温度Ｔｇの高いジアクリレートモノマーを、電気・光学的性質を適切なものとするために使用した。単一機能的なアクリレートの割合を増やすほど、低電圧で駆動できるが、応答速度が遅くなる。一方、１−ジアクリレートの割合を増やすほど、高い駆動電圧が必要となるが、応答速度は速くなる。
【００３４】
本実施の形態の液晶表示素子の第１の特徴は、３，５，５−トリメチルヘキシル・アクリレートと、１−６ヘキサンジオール・ジアクリレートと、液晶とを混合し、３，５，５−トリメチルヘキシル・アクリレートと、１−６ヘキサンジオール・ジアクリレートとを反応させることで、ＰＬＣＣモードの液晶表示素子を得るようにしたことである。
【００３５】
また、本実施の形態の液晶表示素子の第２の特徴は、３，５，５−トリメチルヘキシル・アクリレートと、１−６ヘキサンジオール・ジアクリレートとの混合比を、好適な値に選定することにより、ＴＦＴセルが適用可能な程度の低電圧で、フィールド・シーケンシャル方式にも対応可能な高応答速度のＰＬＣＣモード液晶表示素子を実現したことである。
【００３６】
ＰＬＣＣモードの液晶表示素子の具体的な構成・製造例を、以下の実施例１〜５に示す。
【００３７】
（３−１）実施例１
２  エチルヘキシル・アクリレート１４．０重量パーセントと、１−６ヘキサンジオール・ジアクリレート６．０重量パーセントとを、８０．０重量パーセントの液晶ＪＣ−１０４６に加えた。フォトイニシエータの２−ジメトキシ−２−フェニル・アセトフェノンをモノマーの重量に対して５重量パーセントだけ混合物に加えた。混合物の均質で透明な溶液を２ミクロンの間隙の空のＩＴＯコーティングを施したＴＮセルに充填した。３０ｍＷ／ｃｍ２の紫外線を、摂氏４０度で３０秒間照射することで、紫外線硬化プロセスを実行した。このようにして実施例１におけるＰＬＣＣモードの液晶表示素子を得た。
【００３８】
（３−２）実施例２
３，５，５−トリメチルヘキシル・アクリレート１４．０重量パーセントと、１−６ヘキサンジオール・ジアクリレート６．０重量パーセントとを、８０．０重量パーセントの液晶Ｅ２２００に加えた。フォトイニシエータの２−ジメトキシ−２−フェニル・アセトフェノンをモノマーの重量に対して５重量パーセントだけ混合物に加えた。混合物の均質で透明な溶液を２ミクロンの間隙の空のＩＴＯコーティングを施したＴＮセルに充填した。１５ｍＷ／ｃｍ２の紫外線を、摂氏４０度で３０秒間照射することで、紫外線硬化プロセスを実行した。このようにして実施例２におけるＰＬＣＣモードの液晶表示素子を得た。
【００３９】
（３−３）実施例３
３，５，５−トリメチルヘキシル・アクリレート１５．４重量パーセントと、１−６ヘキサンジオール・ジアクリレート６．６重量パーセントとを、７８．０重量パーセントの液晶Ｅ２２００に加えた。フォトイニシエータの２−ジメトキシ−２−フェニル・アセトフェノンをモノマーの重量に対して５重量パーセントだけ混合物に加えた。混合物の均質で透明な溶液を２ミクロンの間隙の空のＩＴＯコーティングを施したＴＮセルに充填した。１５ｍＷ／ｃｍ２の紫外線を、摂氏４０度で３０秒間照射することで、紫外線硬化プロセスを実行した。このようにして実施例３におけるＰＬＣＣモードの液晶表示素子を得た。
【００４０】
（３−４）実施例４
３，５，５−トリメチルヘキシル・アクリレート１７．５重量パーセントと、１−６ヘキサンジオール・ジアクリレート７．５重量パーセントとを、７５．０重量パーセントの液晶Ｅ２２００に加えた。フォトイニシエータの２−ジメトキシ−２−フェニル・アセトフェノンをモノマーの重量に対して５重量パーセントだけ混合物に加えた。混合物の均質で透明な溶液を２ミクロンの間隙の空のＩＴＯコーティングを施したＴＮセルに充填した。１５ｍＷ／ｃｍ２の紫外線を、摂氏４０度で３０秒間照射することで、紫外線硬化プロセスを実行した。このようにして実施例４におけるＰＬＣＣモードの液晶表示素子を得た。
【００４１】
（３−５）実施例５
３，５，５−トリメチルヘキシル・アクリレート２１．０重量パーセントと、１−６ヘキサンジオール・ジアクリレート９．０重量パーセントとを、７０．０重量パーセントの液晶Ｅ２２００に加えた。フォトイニシエータの２−ジメトキシ−２−フェニル・アセトフェノンをモノマーの重量に対して５重量パーセントだけ混合物に加えた。混合物の均質で透明な溶液を２ミクロンの間隙の空のＩＴＯコーティングを施したＴＮセルに充填した。１５ｍＷ／ｃｍ２の紫外線を、摂氏４０度で３０秒間照射することで、紫外線硬化プロセスを実行した。このようにして実施例５におけるＰＬＣＣモードの液晶表示素子を得た。
【００４２】
（３−６）実施例１〜５の液晶表示素子の評価
実施例１〜５により得られるＰＬＣＣモードの液晶表示素子の電気・光学特性を、表１に示す。因みに、表１は、摂氏２５度において交差偏光板の下で測定したものである。
【００４３】
【表１】
2007322913.tif 000003
また、実施例１〜５により得られるＰＬＣＣモードの液晶表示素子の所要駆動電圧と、応答速度の関係を、図４に示す。図４からも明らかなように、実施例２、実施例４及び実施例５により得られる液晶表示素子は、実用的な駆動電圧（１０［Ｖ］以下）で、実用的な応答時間（２０［ｍｓ］以下）で動作する。
【００４４】
実施例４及び実施例５により得られる液晶表示素子は、１０［Ｖ］以下の駆動電圧で１０［ｍｓ］より速い応答速度で動作するので、より好適である。
【００４５】
さらに、実施例４により得られる液晶表示素子は、６［Ｖ］程度の駆動電圧で５［ｍｓ］より速い応答速度で動作するので、フィールド・シーケンシャル方式の液晶表示装置に用いた場合でも、高品質の表示画像を得ることができる。
【００４６】
なお、本発明の液晶表示素子は、実施例１〜実施例５により得られるものに限らず、構成比において３，５，５−トリメチルヘキシル・アクリレートの比率を増加すると駆動電圧の低減につながるが、応答速度が遅くなり、一方、構成比において１−６ヘキサンジオール・ジアクリレートの比率を増加すると駆動電圧は高くなるが応答速度が速くなることと、図４の特性とを加味して、適用しようとする液晶表示装置に求められる電気・光学特性に応じて、３，５，５−トリメチルヘキシル・アクリレートと１−６ヘキサンジオール・ジアクリレートの比率を変更してもよい。
【００４７】
また、露光条件やセルギャップ等によっても、電気・光学特性は変わるので、それに応じて、３，５，５−トリメチルヘキシル・アクリレートと１−６ヘキサンジオール・ジアクリレートの比率を変更してもよい。
【００４８】
さらに、表１及び図４に示した特性は、図１に示すような構成を前提に測定したものであるが、ＰＬＣＣを配向層なしにセル内部に配置した場合には、駆動電圧及び応答速度は少しだけ増加する。配向層を省略して、フレキシブル表示パネルを実現する場合には、この駆動電圧及び応答速度の増加を加味して、３，５，５−トリメチルヘキシル・アクリレートと１−６ヘキサンジオール・ジアクリレートの比率を変更すればよい。
【００４９】
（４）実施の形態の効果
以上説明したように、本実施の形態によれば、ＰＬＣＣモードの液晶表示素子を有する液晶パネル２２と、液晶表示素子をフィールド・シーケンシャル方式で駆動する液晶駆動回路１７と有する構成としたことにより、配向板及びカラーフィルタ等の透過光を遮る部材が非常に少なく、従来に比して一段と鮮明な表示画像を得ることができる液晶表示装置を実現できる。さらに、配向板及びカラーフィルタ等を必要としないので、フレキシブルプラスチック基板に適用した場合に有利となり、フレキシブル液晶パネルを容易に実現できるようになる。
【００５０】
さらに、液晶駆動回路１７によって、ＰＬＣＣモードの液晶表示素子に対して、定格電圧の最大電位差の電圧を、階調データに応じて印加パターンを変えて印加するようにしたことにより、ＰＬＣＣモードの液晶素子を、フィールド・シーケンシャル方式に適用し得る程度に高速に、かつ微細に（すなわち多階調となるように）駆動できるようになる。
【産業上の利用可能性】
【００５１】
本発明は、従来に比して一段と鮮明な表示画像を得ることができ、かつ高速応答も兼ね備えたフィールド・シーケンシャル方式の液晶表示装置を実現でき、携帯端末等に搭載された液晶表示装置に適用して好適である。
【図面の簡単な説明】
【００５２】
【図１】本発明の実施の形態に係る液晶パネルの構成を示す図
【図２】セル部分の具体的な構成例を示す断面図
【図３】実施の形態による液晶駆動回路の構成を示すブロック図
【図４】実施例により得られたＰＬＣＣモードの液晶表示素子の電圧−応答特性を示す図
【符号の説明】
【００５３】
１  液晶パネル
２  底面ＴＦＴ基板
３、５、１３Ａ、１３Ｂ  配向層
４  上部基板
６  ＰＬＣＣ
７、８  偏光板
９  拡散膜
１０  ＬＥＤバックライト・システム
１１  下部ガラス基板
１２  ＴＦＴ層
１４  上部ガラス基板
１５  導電性コーティング
１７  液晶駆動回路
２２  ＰＬＣＣモード液晶パネル
【図１】
2007322913.tif 000004
【図２】
2007322913.tif 000005
【図３】
2007322913.tif 000006
【図４】
2007322913.tif 000007